(57)【特許請求の範囲】
【請求項１】
陸屋根部と勾配屋根部を含む屋根の防水構造に於いて、前記陸屋根部と勾配屋根部との境界部分に建物の躯体に連結された支持板が配置され、かつ勾配屋根部の下端面が該支持板によって支持され、該勾配屋根部と陸屋根部との境界部分を覆うように前記支持板に防水金物が跨がって配置固定され、勾配屋根部に葺かれた屋根葺き材が勾配屋根部側の防水金物を覆っており、更に該防水金物の陸屋根側が陸屋根部の防水部に連続されて構成されていることを特徴とした屋根の防水構造。
【請求項２】
前記陸屋根部に跨がる部分の防水金物の高さが該陸屋根部の水勾配の最高高さになるように設定されることを特徴とする請求項１の屋根の防水構造。
【発明の詳細な説明】
【０００１】
【発明の属する技術分野】
本発明は屋根の防水構造に係り、特に、陸屋根部から勾配屋根部に至る境界部分を滑らかな美しいシルエットに構成出来る陸屋根部と勾配屋根部を含む屋根の防水構造に関するものである。
【０００２】
【従来の技術】
従来のこの種の陸屋根と勾配屋根との境界となる接合部に於いては、一般的に陸屋根に敷設した防水シートと勾配屋根に敷設した屋根葺き材とを直接に連続することが出来ないために、その接合部には、壁の立上がり部を設け、この壁の立上がり部によって陸屋根と勾配屋根の防水層の縁を切って納める構造が一般的であった。
【０００３】
然るに、このように壁の立上がり部を設け、この壁の立上がり部によって陸屋根と勾配屋根との防水層の縁を切る構造は、両者の接合部の防水処理が容易であり、かつ施工が簡単、確実であるが、しかしこの従来技術の場合には、陸屋根から勾配屋根に滑らかに連続した美しいシルエットを構成することが困難である問題があった。
【０００４】
従って、陸屋根から勾配屋根に滑らかに連続したシルエットを形成する場合には、図７（Ａ），（Ｂ），（Ｃ），（Ｄ）に示すような防水施工が実施されていた。
【０００５】
即ち、図７（Ａ），（Ｂ），（Ｃ），（Ｄ）に於いて、陸屋根５１と勾配屋根５２との接合部５３を防水する場合には、同図（Ｂ）に示す如く、陸屋根５１に敷設された防水シート５４の一部で接合部５３と勾配屋根５２の下端部とを覆って陸屋根５１と接合部５３の防水を施工した後で、同図（Ｃ）に示す如く、該防水シート５４上に足場５５を組み、この足場５５を利用して同図（Ｄ）に示す如く、勾配屋根５２に屋根葺き材５６で屋根葺きを行い、この屋根葺きが完了した後で、足場５５を撤去して施工していた。
【０００６】
【発明が解決しようとする課題】
然るに、図７（Ａ），（Ｂ），（Ｃ），（Ｄ）に示す防水施工は、陸屋根５１と勾配屋根５２との接合部に壁の立上がり部が無いので、滑らかな連続したシルエットを構成することは可能であるが、前述のように陸屋根５１の防水シート５４を勾配屋根５２の屋根葺き材５６の施工前に先行して行なう必要があった。その結果足場５５の設置等のために、既に完成している陸屋根５１を特別に養生する必要が生ずる等の不合理な工事工程が強いられていた。
【０００７】
本発明に係る屋根の防水構造は、前述の従来の問題点に鑑み開発された全く新しい技術であって、特に、陸屋根部と勾配屋根部との接合部に防水金物が覆うように配置され、陸屋根部と勾配屋根部との接合部に滑らかな連続したシルエットが構成されており、勾配屋根部の屋根葺き材が前記防水金物の一部を覆っており、陸屋根部の防水が該防水金物に連続するように構成された全く新しい屋根の防水構造の技術を提供するものである。
【０００８】
【課題を解決するための手段】
本発明に係る屋根の防水構造は、前述の従来の問題点を根本的に改善した発明であって、その第１発明の要旨は、陸屋根部と勾配屋根部を含む屋根の防水構造に於いて、前記陸屋根部と勾配屋根部との境界部分に建物の躯体に連結された支持板が配置され、かつ勾配屋根部の下端面が該支持板によって支持され、該勾配屋根部と陸屋根部との境界部分を覆うように前記支持板に防水金物が跨がって配置固定され、勾配屋根部に葺かれた屋根葺き材が勾配屋根部側の防水金物を覆っており、更に該防水金物の陸屋根側が陸屋根部の防水部に連続されて構成されていることを特徴とした屋根の防水構造である。また、第２発明の要旨は、前記陸屋根部に跨がる部分の防水金物の高さが該陸屋根部の水勾配の最高高さになるように設定されることを特徴とする第１発明の屋根の防水構造である。
【０００９】
【発明の実施の形態】
図により本発明に係る屋根の防水構造の一実施例を具体的に説明すると、図１は本発明の防水構造を実施した防水屋根の斜視説明図、図２は図１の防水屋根の要部の断面図、図３は防水金物及び使用例の斜視説明図、図４（Ａ），（Ｂ），（Ｃ），（Ｄ），（Ｅ）は本発明の防水構造を施工する工程を示す簡略図、図５は本発明の防水構造の施工途中の斜視説明図、図６は勾配屋根部の防水施工が完了した状態を示す斜視説明図である。
【００１０】
図１乃至図６に於いて、本発明に係る屋根の防水構造とその施工について説明すると、次の通りである。即ち、陸屋根部１と勾配屋根部２との境界となる接合部３に防水金物４を配置し、この防水金物４を陸屋根部１と勾配屋根部２とに跨がるように取付固定する。
【００１１】
この防水金物４は、特に図３及び図５に明らかな如く、水平片５、起立片６及び傾斜片７とが順に連続した形状を有しており、該水平片５は陸屋根部１の上方に配置し、起立片６は勾配屋根部２の下端面に当接され、かつ傾斜片７は勾配屋根部２の野地板上に当接されるように構成されている。また、この防水金物４の表面全面には、塩化ビニール製の防水カバー８が被覆されると共に、この防水カバー８の側縁の一部は防水金物４の側縁よりはみ出して、接合片８ａを形成している。
【００１２】
本発明に係る防水構造とその施工の大筋について説明すると、図４（Ａ），（Ｂ），（Ｃ），（Ｄ），（Ｅ）に示す通りである。即ち、本発明の構造を実施するに当たって、まず陸屋根部１と勾配屋根部２とに足場９を仮設し、その後で前述の防水金物４を陸屋根部１と勾配屋根部２とに跨がるように取付け、両者の接合部３に防水金物４を被覆する。
【００１３】
次に、勾配屋根部２と該防水金物４の上部の上に屋根葺き材１０を敷設して勾配屋根部２の防水施工を完成する。その後で足場９を撤去し、続いて陸屋根部１の上表面に塩化ビニール製の防水シート１１を敷設し、更に陸屋根部１の防水施工を完成する。
【００１４】
次に本発明に係る防水構造について、その要部の構成について詳細に説明すると次の通りである。即ち、勾配屋根部２には、図１、図２及び図５に示す如く、防水処理が予め施された野地板１２が敷設されている。このように野地板１２が敷設された勾配屋根部２の下部の上表面に、前記防水金物４の傾斜片７を当接すると共に、この傾斜片７を防水ビスを介して野地板１２に固定する。かつ、この傾斜片７に続く起立片６を勾配屋根部２の下端面に当接する。
【００１５】
更に、防水金物４の水平片５を陸屋根部１の上方に配置すると共に、この水平片５の下面に予め取付けられている発泡プラスチック材（商品名、旭化成工業株式会社製スタイロフォーム）１３を、陸屋根部１の上面に載置する。続いて、特に図３及び図５に示す如く、防水金物４の表面に被覆された防水カバー８の一部のはみ出しよりなる接合片８ａを、隣接して配置された隣りの防水金物４の側縁に積層し、防水カバー８と、その上に積層された接合片８ａとを相互に溶着して、複数の防水金物４を順に並列して接合部３を被覆する。
【００１６】
かつ、図１、図２及び図６に示す如く、勾配部２の野地板１２と防水金物４の傾斜片７の上部とにルーフィングシート１４を敷設した後で、該ルーフィングシート１４の下部とこのルーフィングシート１４から露出した防水金物４の傾斜片７の下部及び起立片６上に、軒先水切り１５を積層し、更に勾配屋根部２に屋根葺き材１０を葺くことによって、勾配屋根部２の施工を完了せしめることが出来る。
【００１７】
続いて、図１、図２、図６に示す如く、陸屋根部１の上表面にモルタルを打設してモルタル層１６を形成する。その際に、このモルタル層１６が水切金物４と接合される部分を水勾配の最高高さとなるように調整しながら施工する。その後で前述の防水シート１１をモルタル層１６と水切金物４の水平片５上に敷設してこれを溶着することによって、陸屋根部１の施工を完了することが出来る。
【００１８】
図１及び図２に於いて、１７は建物の躯体梁であり、１８は支持板であって、前記勾配屋根部２の下端面をこの支持板１８によって支持している。この支持板１８は勾配屋根部２の保持金物１９にボルト止めされており、更に保持金物１９は前記建物の躯体梁１７にボルト止めされている。
【００１９】
本発明に於いては、前述の如く、勾配屋根部２の下端面に当接し得る高さの小さい起立片６を有する防水金物４を陸屋根部１と勾配屋根部２とに跨がるように取付けて、陸屋根部１と勾配屋根部２との境界となる接合部３を防水施工するので、陸屋根部１から勾配屋根部２に滑らかに連続したシルエットを持った屋根を簡単かつ確実に構成することが出来る。
【００２０】
また、この防水金物４を使用するので、勾配屋根部２の屋根葺き材１０を葺き、かつ足場９を撤去した後で、陸屋根部１の防水施工を実施することが出来る。更に、この防水金物４を使用することによって、陸屋根部１の水勾配の最高高さも容易にかつ正確に規定して施工することが出来る。
【００２１】
【発明の効果】
本発明に係る屋根の防水構造は、上述の構成と作用とを有するので、次のような多大な効果を有している。
【００２２】
（１）陸屋根部から勾配屋根部に滑らかに連続したシルエットを持った美しい防水屋根を簡単かつ確実に構成することが出来る。（２）勾配屋根部の施工が完了した後で、陸屋根部の防水施工を行なうことが出来る。（３）従って、足場を撤去した後で陸屋根部の防水施工を行なうことが出来る。
【００２３】
（４）防水金物を施工条件の良い早い段階で接合部に取付けることが出来るので、この部分の防水施工の確実性と信頼性とを向上させることが出来る。（５）全体的に施工管理が容易になり、品質の向上に寄与出来る。（６）また、防水施工全体が熟練を要さずに容易に実施出来、かつ全体の工期を著しく短縮することが出来る。
【図面の簡単な説明】
【図１】本発明の防水構造を実施した防水屋根の斜視説明図である。
【図２】図１の防水屋根の要部の断面図である。
【図３】防水金物及び使用例の斜視説明図である。
【図４】図４（Ａ），（Ｂ），（Ｃ），（Ｄ），（Ｅ）は本発明の防水構造の施工の工程を示す簡略図である。
【図５】本発明の防水構造の施工途中の斜視説明図である。
【図６】図５の防水施工が完了した状態を示す斜視説明図である。
【図７】図７（Ａ），（Ｂ），（Ｃ），（Ｄ）は従来の防水構造の施工を示す簡略図である。
【符号の説明】
１      陸屋根部                  ２      勾配屋根部
３      接合部                    ４      防水金物
５      水平片                    ６      起立片
７      傾斜片                    ８      防水カバー
8a      接合片                    ９      足場
10      屋根葺き材                11      防水シート
12      野地板                    13      発泡プラスチック材
14      ルーフィングシート        15      軒先水切り
16      モルタル層                17      躯体梁
18      支持板                    19      保持金物
51      陸屋根                    52      勾配屋根
53      接合部                    54      防水シート
55      足場                      56      屋根葺き材
【図１】
0003698810.tif 000002
【図２】
0003698810.tif 000003
【図３】
0003698810.tif 000004
【図４】
0003698810.tif 000005
【図５】
0003698810.tif 000006
【図６】
0003698810.tif 000007
【図７】
0003698810.tif 000008